(57)【特許請求の範囲】
【請求項１】
現実空間の位置に対応付けられて提供されるコンテンツ情報と当該コンテンツ情報に関連する関連情報とをユーザに閲覧させる携帯用端末装置であって、
前記現実空間における現在位置を検出する現在位置検出手段と、
所定の画像表示領域を有する表示手段と、
前記現実空間における当該携帯用端末装置の向けられた方向を端末方向として検出する方向検出手段と、
前記検出した現在位置に基づいて、前記コンテンツ情報及び当該コンテンツ情報に含まれるテキスト情報について所定のキーワードの出現頻度をベクトル化したコンテンツ特徴量を他の通信装置または記録手段から取得する取得手段と、
前記検出された端末方向に基づいて、前記検出された現在位置と前記取得されたコンテンツ情報が有する前記現実空間における位置とを関連付けつつ、前記端末方向に存在する前記取得されたコンテンツ情報を前記画像表示領域に表示させる表示制御手段と、
前記検出された端末方向または前記画像表示領域に表示されたコンテンツ情報の表示位置の少なくとも何れか一方に基づいて、少なくとも当該画像表示領域に表示されているコンテンツ情報に関する重み係数を算出する重み係数算出手段と、
前記算出された重み係数を用いて、前記コンテンツ情報とともに取得したコンテンツ特徴量を補正する補正手段と、
前記補正されたコンテンツ特徴量に基づいてベクトル検索式を生成し、当該生成したベクトル検索式と前記記憶手段に前記関連情報とともに記憶され、当該関連情報に含まれるテキスト情報について前記所定のキーワードの出現頻度をベクトル化した各関連情報特徴量との類似度を算出する類似度算出手段と、
前記算出された類似度に基づいて該当する関連情報を選定する選定手段と、
を備え、
前記表示制御手段が、前記選定された関連情報または当該関連情報を特定するための特定情報を前記表示手段に表示させることを特徴とする携帯用端末装置。
【請求項２】
請求項１に記載の携帯用端末装置において、
前記方向検出手段が、前記端末方向として、当該携帯用端末装置の方角を検出するとともに、
前記重み付け係数算出手段が、前記検出された端末方向の方角及び現在位置に基づいて、前記取得されたコンテンツ情報の現実空間内における位置と当該携帯用端末装置の現在位置との角度差を算出し、当該算出された角度差に基づいて、当該コンテンツ情報における重み係数を算出する、携帯用端末装置。
【請求項３】
請求項２に記載の携帯用端末装置において、
前記重み付け係数算出手段が、前記算出された角度差が小さいほど、前記重み付け係数が大きくなるように、当該コンテンツ情報における重み係数を算出する、携帯用端末装置。
【請求項４】
請求項１乃至３の何れか一項に記載の携帯用端末装置において、
前記方向検出手段が、前記端末方向として、当該携帯用端末装置の方角に対する仰角を検出するとともに、
前記重み付け係数算出手段が、前記検出された仰角の大きさに基づいて、当該コンテンツ情報における重み係数を算出する、携帯用端末装置。
【請求項５】
請求項４に記載の携帯用端末装置において、
前記重み付け係数算出手段が、
前記検出された仰角に基づいて当該携帯用端末装置が水平面より上方に傾いている場合には、当該携帯用端末装置から現実空間内で遠くの位置に対応付けられているコンテンツ情報の重み係数を、現実空間内で近くの位置に対応付けられているコンテンツ情報の重み係数より大きくし、
前記検出された仰角に基づいて当該携帯用端末装置が前記水平面より下方に傾いている場合には、当該携帯用端末装置から現実空間内で近くの位置に対応付けられているコンテンツ情報の重み係数を、現実空間内で遠くの位置に対応付けられているコンテンツ情報の重み係数より大きくする、携帯用端末装置。
【請求項６】
請求項１乃至５の何れか一項に記載の携帯用端末装置において、
前記画像表示領域に表示されたコンテンツ情報の当該画像表示領域内における表示位置の座標を検出する座標検出手段を更に有し、
前記重み付け係数算出手段が、前記画像表示領域の中心と前記表示されたコンテンツ情報の座標位置とに基づいて当該重み係数を算出する、携帯用端末装置。
【請求項７】
請求項６に記載の携帯用端末装置において、
前記重み付け係数算出手段が、前記画像表示領域の中心に近い位置に表示されているほど、コンテンツ情報の重み係数を大きくする、携帯用端末装置。
【請求項８】
請求項１乃至７の何れか一項に記載の携帯用端末装置において、
前記重み係数算出手段が、コンテンツ情報毎に複数の重み付け係数を算出するとともに当該算出された同一のコンテンツ情報における重み係数を合算し、
前記補正手段が、前記合算された重み係数に基づいて、該当するコンテンツ情報におけるコンテンツ特徴量を補正する、携帯用端末装置。
【請求項９】
コンピュータによって、現実空間の位置に対応付けられて提供されるコンテンツ情報と当該コンテンツ情報に関連する関連情報とをユーザに閲覧させる携帯用端末装置によって適用される情報閲覧用プログラムであって、
前記現実空間における現在位置を検出する現在位置検出手段と、所定の画像表示領域を有する表示手段と、前記現実空間における当該携帯用端末装置の向けられた方向を端末方向として検出する方向検出手段と、を有する携帯用端末装置に搭載されるコンピュータを、
前記検出した現在位置に基づいて、前記コンテンツ情報及び当該コンテンツ情報に含まれるテキスト情報について所定のキーワードの出現頻度をベクトル化したコンテンツ特徴量を他の通信装置または記録手段から取得する取得手段、
前記検出された端末方向に基づいて、前記検出された現在位置と前記取得されたコンテンツ情報が有する前記現実空間における位置とを関連付けつつ、前記端末方向に存在する前記取得されたコンテンツ情報を前記画像表示領域に表示させる表示制御手段、
前記検出された端末方向または前記画像表示領域に表示されたコンテンツ情報の表示位置の少なくとも何れか一方に基づいて、少なくとも当該画像表示領域に表示されているコンテンツ情報に関する重み係数を算出する重み係数算出手段、
前記算出された重み係数を用いて、前記コンテンツ情報とともに取得したコンテンツ特徴量を補正する補正手段、
前記補正されたコンテンツ特徴量に基づいてベクトル検索式を生成し、当該生成したベクトル検索式と前記記憶手段に前記関連情報とともに記憶され、当該関連情報に含まれるテキスト情報について前記所定のキーワードの出現頻度をベクトル化した各関連情報特徴量との類似度を算出する類似度算出手段、及び、
前記算出された類似度に基づいて該当する関連情報を選定する選定手段、
として機能させ、
前記表示制御手段として、前記選定された関連情報または当該関連情報を特定するための特定情報を前記表示手段に表示させる機能を備えることを特徴とする情報閲覧用プログラム。
【請求項１０】
現実空間を撮像する機能を有する携帯用端末装置にコンテンツ情報と当該コンテンツ情報に関連する関連情報を閲覧可能に取得させるサーバ装置であって、
前記コンテンツ情報と当該コンテンツ情報毎に前記現実空間内における位置を示す位置情報、及び、当該コンテンツ情報に含まれるテキスト情報について所定のキーワードの出現頻度をベクトル化したコンテンツ特徴量とが記憶された第１のデータベースと、前記関連情報と当該関連情報毎に当該関連情報に含まれるテキスト情報について前記所定のキーワードの出現頻度をベクトル化した関連情報特徴量とが記憶された第２のデータベースと、を制御する制御手段と、
該当する前記携帯用端末装置とデータ通信を実行することによって、当該携帯用端末装置の前記現実空間における現在位置、及び、前記現実空間における当該携帯用端末装置の向けられた端末方向を取得する取得手段と、
前記検出した現在位置に基づいて、前記コンテンツ情報及び当該コンテンツ情報を他の通信装置または記録手段から取得する取得手段と、
前記検出された端末方向に基づいて、前記検出された現在位置と前記取得されたコンテンツ情報が有する前記現実空間における位置とを関連付けつつ前記携帯用端末装置の前記画像表示領域に表示させるために、前記端末方向に存在するコンテンツ情報を提供する提供手段と、
前記検出された端末方向または前記画像表示領域に表示されたコンテンツ情報の表示位置の少なくとも何れか一方に基づいて、少なくとも当該画像表示領域に表示されているコンテンツ情報に関する重み係数を算出する重み係数算出手段と、
前記算出された重み係数を用いて、前記コンテンツ情報のコンテンツ特徴量を補正する補正手段と、
前記補正されたコンテンツ特徴量に基づいてベクトル検索式を生成し、当該生成したベクトル検索式と前記記憶手段に前記関連情報とともに記憶された各関連情報特徴量との類似度を算出する類似度算出手段と、
前記算出された類似度に基づいて該当する関連情報を選定する選定手段と、
を備え、
前記提供手段が、前記選定された関連情報または当該関連情報を特定するための特定情報を前記携帯用端末装置に提供することを特徴とするサーバ装置。
【請求項１１】
コンピュータによって、現実空間を撮像する機能を有する携帯用端末装置にコンテンツ情報と当該コンテンツ情報に関連する関連情報を閲覧可能に取得させる閲覧情報提供用プログラムであって、
前記コンピュータを、
前記コンテンツ情報と当該コンテンツ情報毎に前記現実空間内における位置を示す位置情報、及び、当該コンテンツ情報に含まれるテキスト情報について所定のキーワードの出現頻度をベクトル化したコンテンツ特徴量とが記憶された第１のデータベースと、前記関連情報と当該関連情報毎に当該関連情報に含まれるテキスト情報について前記所定のキーワードの出現頻度をベクトル化した関連情報特徴量とが記憶された第２のデータベースと、を制御する制御手段、
該当する前記携帯用端末装置とデータ通信を実行することによって、当該携帯用端末装置の前記現実空間における現在位置、及び、前記現実空間における当該携帯用端末装置の向けられた端末方向を取得する取得手段、
前記検出された端末方向に基づいて、前記検出された現在位置と前記取得されたコンテンツ情報が有する前記現実空間における位置とを関連付けつつ前記携帯用端末装置の前記画像表示領域に表示させるために、前記端末方向に存在する前記取得されたコンテンツ情報を提供する提供手段、
前記検出された端末方向または前記画像表示領域に表示されたコンテンツ情報の表示位置の少なくとも何れか一方に基づいて、少なくとも当該画像表示領域に表示されているコンテンツ情報に関する重み係数を算出する重み係数算出手段、
前記算出された重み係数を用いて、前記コンテンツ情報のコンテンツ特徴量を補正する補正手段、
前記補正されたコンテンツ特徴量に基づいてベクトル検索式を生成し、当該生成したベクトル検索式と前記記憶手段に前記関連情報とともに記憶された各関連情報特徴量との類似度を算出する類似度算出手段、及び、
前記算出された類似度に基づいて該当する関連情報を選定する選定手段、
として機能させ、
前記提供手段として、前記選定された関連情報または当該関連情報を特定するための特定情報を前記携帯用端末装置に提供する機能を備えることを特徴とする閲覧情報提供用プログラム。
【発明の詳細な説明】
【技術分野】
【０００１】
本発明は、携帯用電話機などの携帯用端末装置に関し、特に、端末装置の現在位置とその姿勢情報に基づいて位置情報に対応して提供される情報を閲覧するための技術に属する。
【背景技術】
【０００２】
近年、携帯用電話機などの携帯用端末装置の進歩に伴って、ＧＰＳ（Ｇｌｏｂａｌ  Ｐｏｓｉｔｉｏｎｉｎｇ  Ｓｙｓｔｅｍ）などの現在位置を認識する機能と連動させて当該端末装置の現在位置を特定しつつ、場所に固定化された付加情報（文字・画像・音声）を、撮像した現実空間の画像上に重ねて表示する技術が普及し始めている。例えば、この表示機能を有する携帯用端末装置としては、内蔵するカメラ機能を用いるとともに、所定の場所において所定の方向を撮像した場合に、携帯用端末装置の現在位置及び撮像方向を認識しつつ、表示パネルに撮像された動画像を表示し、当該表示された動画像上に付加情報を表示するようになっている。
【０００３】
一方、近年、車両または携帯用電話機などに搭載されるナビゲーション装置が一般化している。特に、最近では、人間または車両など移動体における特定の場所に対する訪問パターンまたは当該ユーザの嗜好その他のユーザ特性など、ユーザの動向を抽出する装置を有し、当該抽出した情報を利用するナビゲーション装置が知られている（例えば、特許文献１）。
【先行技術文献】
【特許文献】
【０００４】
【特許文献１】特開２０００−１５５７５７号公報
【発明の概要】
【発明が解決しようとする課題】
【０００５】
しかしながら、特許文献１に記載の抽出装置にあっては、ユーザ特性を抽出しているだけで、当該ユーザが注目している情報、すなわち、当該ユーザが要望する情報を選定して提供していないので、抽出した情報を利用するという観点からは更なる検討の余地がある。
【０００６】
本発明は、上記課題を解決するためになされたものであり、その目的は、位置情報に対応付けられたコンテンツ情報を現在位置に基づいて閲覧しているユーザに、当該ユーザによって興味があると想定される当該コンテンツ情報に関連情報を的確に提供すること、及び、それにより提供された情報の閲覧数を向上させて効果的な情報提供を実現させることが可能な情報閲覧端末装置及び情報閲覧用プログラムなどを提供することにある。
【課題を解決するための手段】
【０００７】
（１）上記課題を解決するため、本発明の携帯用端末装置は、現実空間の位置に対応付けられて提供されるコンテンツ情報と当該コンテンツ情報に関連する関連情報とをユーザに閲覧させる携帯用端末装置であって、前記現実空間における現在位置を検出する現在位置検出手段と、所定の画像表示領域を有する表示手段と、前記現実空間における当該携帯用端末装置の向けられた方向を端末方向として検出する方向検出手段と、前記検出した現在位置に基づいて、前記コンテンツ情報及び当該コンテンツ情報のコンテンツ特徴量を他の通信装置または記録手段から取得する取得手段と、前記検出された端末方向に基づいて、前記検出された現在位置と前記取得されたコンテンツ情報が有する前記現実空間における位置とを関連付けつつ、前記端末方向に存在する前記取得されたコンテンツ情報を前記画像表示領域に表示させる表示制御手段と、前記検出された端末方向または前記画像表示領域に表示されたコンテンツ情報の表示位置の少なくとも何れか一方に基づいて、少なくとも当該画像表示領域に表示されているコンテンツ情報に関する重み係数を算出する重み係数算出手段と、前記算出された重み係数を用いて、前記コンテンツ情報とともに取得したコンテンツ特徴量を補正する補正手段と、前記補正されたコンテンツ特徴量と前記記憶手段に前記関連情報とともに記憶された関連情報特徴量とに基づいて、前記取得されたコンテンツ情報と各関連情報との類似度を算出する類似度算出手段と、前記算出された類似度に基づいて該当する関連情報を選定する選定手段と、を備え、前記表示制御手段が、前記選定された関連情報または当該関連情報を特定するための特定情報を前記表示手段に表示させる構成を有している。
【０００８】
この構成により、本発明の携帯用端末装置は、当該携帯用端末装置の向けた端末方向及び画像表示領域に表示されたコンテンツ情報の表示位置に基づいて、ユーザが注目しているコンテンツ情報についてのコンテンツ特徴量に対する重み付けが大きくなるように、当該コンテンツ特徴量を補正することができる。したがって、本発明の携帯用端末装置は、コンテンツ情報と関連情報との類似度を算出する場合に、ユーザの注目度を参酌することができるので、商品またはサービスの広告などのユーザによって興味がある情報を的確に提供すること、及び、それにより提供された情報の閲覧数を向上させて効果的な情報提供を実現させることができる。
【０００９】
（２）また、本発明の携帯用端末装置は、前記方向検出手段が、前記端末方向として、当該携帯用端末装置の方角を検出するとともに、前記重み付け係数算出手段が、前記検出された端末方向の方角及び現在位置に基づいて、前記取得されたコンテンツ情報の現実空間内における位置と当該携帯用端末装置の現在位置との角度差を算出し、当該算出された角度差に基づいて、当該コンテンツ情報における重み係数を算出する構成を有している。
【００１０】
この構成により、本発明の携帯用端末装置は、例えば、取得されたコンテンツ情報の現実空間内における位置と当該携帯用端末装置の現在位置との角度差が小さいほど、重み付け係数が大きくすることができるので、画像表示領域の中心に表示されたコンテンツ情報をユーザがより注目しているコンテンツ情報として取り扱うことができる。すなわち、ユーザが注目しているコンテンツ情報は、画像表示領域の中心に表示させることが多いので、本発明の携帯用端末装置は、この特性を利用してユーザが注目しているコンテンツ情報を的確に抽出することができる。
【００１１】
（３）また、本発明の携帯用端末装置は、前記重み付け係数算出手段が、前記算出された角度差が小さいほど、前記重み付け係数が大きくなるように、当該コンテンツ情報における重み係数を算出する構成を有している。
【００１２】
この構成により、本発明の携帯用端末装置は、取得されたコンテンツ情報の現実空間内における位置と当該携帯用端末装置の現在位置との角度差が小さいほど、重み付け係数が大きくすることができるので、画像表示領域の中心に表示されたコンテンツ情報をユーザがより注目しているコンテンツ情報として抽出することができる。
【００１３】
（４）また、本発明の携帯用端末装置は、前記方向検出手段が、前記端末方向として、当該携帯用端末装置の方角に対する仰角を検出するとともに、前記重み付け係数算出手段が、前記検出された仰角の大きさに基づいて、当該コンテンツ情報における重み係数を算出する構成を有している。
【００１４】
この構成により、本発明の携帯用端末装置は、携帯用端末装置の仰角を操作することによって、当該携帯用通信端末装置の現実空間における現在位置より遠くの位置に対応付けられたコンテンツ情報についてユーザが注目した場合に、または、当該現在位置周辺の位置に対応付けられたコンテンツ情報についてユーザが注目した場合に、当該注目したコンテンツ情報の重み付け係数を調整することができる。
【００１５】
（５）また、本発明の情報閲覧端末装置は、前記重み付け係数算出手段が、前記検出された仰角に基づいて当該携帯用端末装置が水平面より上方に傾いている場合には、当該携帯用端末装置から現実空間内で遠くの位置に対応付けられているコンテンツ情報の重み係数を、現実空間内で近くの位置に対応付けられているコンテンツ情報の重み係数より大きくし、前記検出された仰角に基づいて当該携帯用端末装置が前記水平面より下方に傾いている場合には、当該携帯用端末装置から現実空間内で近くの位置に対応付けられているコンテンツ情報の重み係数を、現実空間内で遠くの位置に対応付けられているコンテンツ情報の重み係数より大きくする構成を有している。
【００１６】
この構成により、本発明の携帯用端末装置は、当該携帯用通信端末装置の現実空間における現在位置より遠くの位置に対応付けられたコンテンツ情報についてユーザが注目した場合に、または、当該現在位置周辺の位置に対応付けられたコンテンツ情報についてユーザが注目した場合に注目されたコンテンツ情報における重み付け係数を調整することができる。したがって、本発明の携帯用端末装置は、当該携帯用端末装置の現在位置からの距離とは無関係に、ユーザによって注目されたコンテンツ情報を的確に抽出することができる。
【００１７】
（６）また、本発明の携帯用端末装置は、前記画像表示領域に表示されたコンテンツ情報の当該画像表示領域内における表示位置の座標を検出する座標検出手段を更に有し、前記重み付け係数算出手段が、前記画像表示領域の中心と前記表示されたコンテンツ情報の座標位置とに基づいて当該重み係数を算出する構成を有している。
【００１８】
この構成により、本発明の携帯用端末装置は、当該携帯用通信端末装置の現実空間における現在位置より遠くの位置に対応付けられたコンテンツ情報についてユーザが注目した場合に、または、当該現在位置周辺の位置に対応付けられたコンテンツ情報についてユーザが注目した場合に注目されたコンテンツ情報における重み付け係数を調整することができる。
【００１９】
（７）また、本発明の携帯用端末装置は、前記重み付け係数算出手段が、前記画像表示領域の中心に近い位置に表示されているほど、コンテンツ情報の重み係数を大きくする構成を有している。
【００２０】
この構成により、本発明の携帯用端末装置は、画像表示領域の中心に近い位置に表示されているほど、重み付け係数が大きくすることができるので、画像表示領域の中心に表示されたコンテンツ情報をユーザがより注目しているコンテンツ情報として抽出することができる。
【００２１】
（８）また、本発明の携帯用端末装置は、前記重み係数算出手段が、コンテンツ情報毎に複数の重み付け係数を算出するとともに当該算出された同一のコンテンツ情報における重み係数を合算し、前記補正手段が、前記合算された重み係数に基づいて、該当するコンテンツ情報におけるコンテンツ特徴量を補正する構成を有している。
【００２２】
この構成により、本発明の携帯用端末装置は、様々な要素からユーザが注目しているコンテンツ情報を想定して各コンテンツ情報の重み係数を算出し、当該算出された各重み係数を合算してコンテンツ特徴量を補正することができるので、画像表示領域の中心に表示されたコンテンツ情報をユーザがより注目しているコンテンツ情報として抽出することができる。
【００２３】
（９）また、本発明の携帯用端末装置は、前記コンテンツ特徴量及び前記関連情報特徴量が、前記コンテンツ情報または前記関連情報に含まれるテキスト情報を構成するキーワードの、各コンテンツ情報内または各関連情報内における出現頻度に基づいて特定された特徴量である、
【００２４】
この構成により、本発明の携帯用端末装置は、キーワードの出現頻度に基づいて各コンテンツ特徴量及び関連情報特徴量を算出することができるので、的確にコンテンツ特徴量及び関連情報特徴量を規定することができる。したがって、本発明の携帯用端末装置は、的確にコンテンツ情報に類似する関連情報を抽出することができる。
【００２５】
（１０）上記課題を解決するため、本発明の情報閲覧用プログラムは、コンピュータによって、現実空間の位置に対応付けられて提供されるコンテンツ情報と当該コンテンツ情報に関連する関連情報とをユーザに閲覧させる携帯用端末装置によって適用される情報閲覧用プログラムであって、前記現実空間における現在位置を検出する現在位置検出手段と、所定の画像表示領域を有する表示手段と、前記現実空間における当該携帯用端末装置の向けられた方向を端末方向として検出する方向検出手段と、を有する携帯用端末装置に搭載されるコンピュータを、前記検出した現在位置に基づいて、前記コンテンツ情報及び当該コンテンツ情報のコンテンツ特徴量を他の通信装置または記録手段から取得する取得手段、前記検出された端末方向に基づいて、前記検出された現在位置と前記取得されたコンテンツ情報が有する前記現実空間における位置とを関連付けつつ、前記端末方向に存在する前記取得されたコンテンツ情報を前記画像表示領域に表示させる表示制御手段、前記検出された端末方向または前記画像表示領域に表示されたコンテンツ情報の表示位置の少なくとも何れか一方に基づいて、少なくとも当該画像表示領域に表示されているコンテンツ情報に関する重み係数を算出する重み係数算出手段、前記算出された重み係数を用いて、前記コンテンツ情報とともに取得したコンテンツ特徴量を補正する補正手段、前記補正されたコンテンツ特徴量と前記記憶手段に前記関連情報とともに記憶された関連情報特徴量とに基づいて、前記取得されたコンテンツ情報と各関連情報との類似度を算出する類似度算出手段、及び、前記算出された類似度に基づいて該当する関連情報を選定する選定手段、として機能させ、前記表示制御手段として、前記選定された関連情報または当該関連情報を特定するための特定情報を前記表示手段に表示させる機能を備える構成を有している。
【００２６】
この構成により、本発明の情報閲覧用プログラムは、当該携帯用端末装置の向けた端末方向及び画像表示領域に表示されたコンテンツ情報の表示位置に基づいて、ユーザが注目しているコンテンツ情報についてのコンテンツ特徴量に対する重み付けが大きくなるように、当該コンテンツ特徴量を補正することができる。したがって、本発明の情報閲覧用プログラムは、コンテンツ情報と関連情報との類似度を算出する場合に、ユーザの注目度を参酌することができるので、商品またはサービスの広告などのユーザによって興味がある情報を的確に提供すること、及び、それにより提供された情報の閲覧数を向上させて効果的な情報提供を実現させることができる。
【００２７】
（１１）上記課題を解決するため、本発明のサーバ装置は、現実空間を撮像する機能を有する携帯用端末装置にコンテンツ情報と当該コンテンツ情報に関連する関連情報を閲覧可能に取得させるサーバ装置であって、前記コンテンツ毎に、当該コンテンツをデータとして形成するコンテンツデータ、前記現実空間内における位置を示す位置情報、及び、当該コンテンツに含まれるキーワードをデータとして形成するキーワードデータが記憶された第１のデータベースと、前記関連情報毎に、当該関連情報を形成する形成データ及び当該関連情報に含まれるテキストから算出された特徴量を示す特徴量データが記憶された第２のデータベースと、を制御する制御手段と、
【００２８】
該当する前記携帯用端末装置とデータ通信を実行することによって、当該携帯用端末装置の前記現実空間における現在位置、及び、前記現実空間における当該携帯用端末装置の向けられた端末方向を取得する取得手段と、前記検出された端末方向に基づいて、前記検出された現在位置と前記取得されたコンテンツ情報が有する前記現実空間における位置とを関連付けつつ前記携帯用端末装置の前記画像表示領域に表示させるために、前記端末方向に存在する前記取得されたコンテンツ情報を提供する提供手段と、前記検出された端末方向または前記画像表示領域に表示されたコンテンツ情報の表示位置の少なくとも何れか一方に基づいて、少なくとも当該画像表示領域に表示されているコンテンツ情報に関する重み係数を算出する重み係数算出手段と、前記算出された重み係数を用いて、前記コンテンツ情報のコンテンツ特徴量を補正する補正手段と、前記補正されたコンテンツ特徴量と前記記憶手段に前記関連情報とともに記憶された関連情報特徴量とに基づいて、前記取得されたコンテンツ情報と各関連情報との類似度を算出する類似度算出手段と、前記算出された類似度に基づいて該当する関連情報を選定する選定手段と、を備え、前記提供手段が、前記選定された関連情報または当該関連情報を特定するための特定情報を前記携帯用端末装置に提供する構成を有している。
【００２９】
この構成により、本発明のサーバ装置は、当該携帯用端末装置の向けた端末方向及び画像表示領域に表示されたコンテンツ情報の表示位置に基づいて、ユーザが注目しているコンテンツ情報についてのコンテンツ特徴量に対する重み付けが大きくなるように、当該コンテンツ特徴量を補正することができる。したがって、本発明のサーバ装置は、コンテンツ情報と関連情報との類似度を算出する場合に、ユーザの注目度を参酌することができるので、商品またはサービスの広告などのユーザによって興味がある情報を的確に提供すること、及び、それにより提供された情報の閲覧数を向上させて効果的な情報提供を実現させることができる。
【００３０】
（１２）上記課題を解決するため、本発明の情報提供用プログラムは、コンピュータによって、現実空間を撮像する機能を有する携帯用端末装置にコンテンツ情報と当該コンテンツ情報に関連する関連情報を閲覧可能に取得させる閲覧情報提供用プログラムであって、前記コンピュータを、前記コンテンツ毎に、当該コンテンツをデータとして形成するコンテンツデータ、前記現実空間内における位置を示す位置情報、及び、当該コンテンツに含まれるキーワードをデータとして形成するキーワードデータが記憶された第１のデータベースと、前記関連情報毎に、当該関連情報を形成する形成データ及び当該関連情報に含まれるテキストから算出された特徴量を示す特徴量データが記憶された第２のデータベースと、を制御する制御手段、該当する前記携帯用端末装置とデータ通信を実行することによって、当該携帯用端末装置の前記現実空間における現在位置、及び、前記現実空間における当該携帯用端末装置の向けられた端末方向を取得する取得手段、前記検出された端末方向に基づいて、前記検出された現在位置と前記取得されたコンテンツ情報が有する前記現実空間における位置とを関連付けつつ前記携帯用端末装置の前記画像表示領域に表示させるために、前記端末方向に存在する前記取得されたコンテンツ情報を提供する提供手段、前記検出された端末方向または前記画像表示領域に表示されたコンテンツ情報の表示位置の少なくとも何れか一方に基づいて、少なくとも当該画像表示領域に表示されているコンテンツ情報に関する重み係数を算出する重み係数算出手段、前記算出された重み係数を用いて、前記コンテンツ情報のコンテンツ特徴量を補正する補正手段、前記補正されたコンテンツ特徴量と前記記憶手段に前記関連情報とともに記憶された関連情報特徴量とに基づいて、前記取得されたコンテンツ情報と各関連情報との類似度を算出する類似度算出手段、及び、前記算出された類似度に基づいて該当する関連情報を選定する選定手段、として機能させ、前記提供手段として、前記選定された関連情報または当該関連情報を特定するための特定情報を前記携帯用端末装置に提供する機能を備える構成を有している。
【００３１】
この構成により、本発明の情報提供用プログラムは、当該携帯用端末装置の向けた端末方向及び画像表示領域に表示されたコンテンツ情報の表示位置に基づいて、ユーザが注目しているコンテンツ情報についてのコンテンツ特徴量に対する重み付けが大きくなるように、当該コンテンツ特徴量を補正することができる。したがって、本発明の情報提供用プログラムは、コンテンツ情報と関連情報との類似度を算出する場合に、ユーザの注目度を参酌することができるので、商品またはサービスの広告などのユーザによって興味がある情報を的確に提供すること、及び、それにより提供された情報の閲覧数を向上させて効果的な情報提供を実現させることができる。
【発明の効果】
【００３２】
本発明の携帯用端末装置、サーバ装置、情報閲覧用プログラム及び情報閲覧用プログラムは、コンテンツ情報と関連情報との類似度を算出する場合に、ユーザの注目度を参酌することができるので、商品またはサービスの広告などのユーザによって興味がある情報を的確に提供すること、及び、それにより提供された情報の閲覧数を向上させて効果的な情報提供を実現させることができる。
【図面の簡単な説明】
【００３３】
【図１】本発明に係るネットワークシステム一の実施形態におけるシステム構成図である。
【図２】一の実施形態におけるコンテンツ情報のデータ構造の一例である。
【図３】コンテンツ情報におけるコンテンツ特徴量を説明するための図である。
【図４】一の実施形態における関連情報のデータ構造の一例である。
【図５】一の実施形態における携帯用通信端末装置の構成を示すブロック図である。
【図６】一の実施形態において、現在位置に基づくコンテンツ情報の検出について説明するための図である。
【図７】一の実施形態において、携帯用通信端末装置における端末方向の方角と取得したコンテンツ情報Ｃとの関係を説明する図と、当該方角に基づいて画像表示領域に表示されるコンテンツ情報について説明するための図である。
【図８】一の実施形態において、端末方向の方角が変化した場合の取得したコンテンツ情報Ｃとの関係を説明する図（その１）と、当該方角に基づいて画像表示領域に表示されるコンテンツ情報について説明するための図である。
【図９】一の実施形態において、端末方向の方角が変化した場合の取得したコンテンツ情報Ｃとの関係を説明する図（その２）と、当該方角に基づいて画像表示領域に表示されるコンテンツ情報について説明するための図である。
【図１０】一の実施形態において、端末方向の仰角が変化した場合の取得したコンテンツ情報Ｃとの関係を説明する図（その１）と、当該方角に基づいて画像表示領域に表示されるコンテンツ情報について説明するための図である。
【図１１】一の実施形態において、端末方向の仰角が変化した場合の取得したコンテンツ情報Ｃとの関係を説明する図（その１）と、当該方角に基づいて画像表示領域に表示されるコンテンツ情報について説明するための図である。
【図１２】一の実施形態において、画像表示領域に表示されているコンテンツ情報が拡大された際の画像表示領域と表示されるコンテンツ情報との関係を説明するための図である。
【図１３】一の実施形態において、画像表示領域に表示された推薦情報を説明するための図である。
【図１４】一の実施形態の携帯用通信端末装置における情報提供処理の動作を示すフローチャートである。
【発明を実施するための形態】
【００３４】
以下、本発明の実施形態について、図面を参照しながら説明する。なお、以下に説明する実施形態は、ネットワークを介して携帯用電話機などの携帯用通信端末装置に対して、または、サーバ装置に対して、本発明の携帯用端末装置、情報閲覧用プログラム、サーバ装置及び情報提供用プログラムを適用した場合の実施形態である。
【００３５】
＜ネットワークシステムの概要構成＞
まず、図１を用いて本実施形態のネットワークシステム１０の概要構成について説明する。なお、図１は、ネットワークシステム１０の構成を示すシステム構成図である。
【００３６】
本実施形態のネットワークシステム１０は、図１に示すように、店舗における広告または施設に関する案内などの文書または画像を含む現実空間の位置に対応付けられた複数のコンテンツ情報Ｃと本、物品または施設の情報などコンテンツ情報Ｃに関連する複数の関連情報Ｒが予め記憶されたデータベース１００と、データベース１００の制御及びコンテンツ情報Ｃ及び関連情報Ｒの管理を行うサーバ装置２００と、から構成される。
【００３７】
また、ネットワークシステム１０は、ユーザが個々に有し、携帯可能な複数の通信端末装置（以下、「携帯用通信端末装置」という。）３００を含む。各携帯用通信端末装置３００は、ユーザにコンテンツ情報Ｃを画像表示領域ＤＡに閲覧可能に表示する。そして、各携帯用通信端末装置３００は、基地局ＢＳまたはインターネット若しくは公衆電話回線網などのネットワークＮを介して、データベース１００及びサーバ装置２００と、他の携帯用通信端末装置３００と、または、図示しない他の通信装置と接続されている。
【００３８】
特に、各携帯用通信端末装置３００は、所定の画像表示領域ＤＡを有し、当該各携帯用通信端末装置３００の現実空間における現在位置（以下、単に「現在位置」という。）Ｐに基づいてデータベース１００から取得したコンテンツ情報Ｃを、当該画像表示領域ＤＡに表示する。具体的には、各携帯用通信端末装置３００は、当該各携帯用通信端末装置３００がユーザによって向けられている端末方向、すなわち、携帯用通信端末装置３００の向いている方角（以下、単に「方角」という。）ＡＧ及び当該方角ＡＧに対する仰角（以下、単に「仰角」という。）ＥＡを検出し、検出した方角ＡＧ及び仰角ＥＡに基づいて、各携帯用通信端末装置３００が向いている方向であって、当該各携帯用通信端末装置３００の現実空間における現在位置から所定の距離内に存在するコンテンツ情報Ｃを、画像表示領域ＤＡに表示する。
【００３９】
また、各携帯用通信端末装置３００は、予め算出されてデータベース１００に記憶された各コンテンツ情報Ｃの特徴量（以下、「コンテンツ特徴量」という。）をコンテンツ情報Ｃとともに取得し、当該各携帯用通信端末装置３００が向けられた方角ＡＧ及び当該方角ＡＧに対する仰角ＥＡに基づいて、各コンテンツ特徴量を補正する。このとき、各携帯用通信端末装置３００は、画像表示領域ＤＡに表示されたコンテンツ情報Ｃの表示が拡大されている場合には、当該拡大率に基づいても各コンテンツ特徴量を補正する。
【００４０】
さらに、携帯用通信端末装置３００は、補正されたコンテンツ特徴量と関連情報Ｒ毎に予め算出されて記憶されている特徴量（以下、「関連情報特徴量」という。）とに基づいて、各コンテンツ情報Ｃと関連情報Ｒとの類似度を算出し、画像表示領域ＤＡに表示されているコンテンツ情報Ｃに関連があると想定される関連情報Ｒ（以下、「推薦情報」ともいう。）を選定する。そして、携帯用通信端末装置３００は、選定した関連情報（すなわち、推薦情報）Ｒを画像表示領域ＤＡにコンテンツ情報Ｃとともに表示するようになっている。
【００４１】
この構成により、本実施形態の各携帯用通信端末装置３００は、携帯用通信端末装置３００が向いている方向、すなわち、方角ＡＧと仰角ＥＡと、画像表示領域ＤＡに表示されているコンテンツ情報Ｃの拡大率に基づいて、ユーザが注目していると想定されるコンテンツ情報Ｃを識別する。そして、各携帯用通信端末装置３００は、当該ユーザが注目していると想定されるコンテンツ情報Ｃのコンテンツ特徴量の重み付けを与えるための重み付け係数を算出し、算出した重み付け係数に基づいて、コンテンツ特徴量及び推薦すべき情報である関連情報Ｒにおける関連情報特徴量との類似度を算出して選定する推薦情報を選定する。したがって、各携帯用通信端末装置３００は、商品またはサービスの広告など、ユーザによって興味があるコンテンツ情報Ｃに関連する関連情報Ｒを提供すること、及び、それにより提供された情報の閲覧数を向上させて効果的な情報提供を実現させることができる。
【００４２】
＜データベース＞
次に、図２及び図３の各図を用いて本実施形態のデータベース１００と当該データベース１００に記憶されているコンテンツ情報Ｃ及び関連情報Ｒについて説明する。
【００４３】
なお、図２は、本実施形態において、コンテンツ情報Ｃにおけるデータ構造の一例を示し、図３は、コンテンツ情報Ｃに含まれる各情報に基づいて予め算出されるコンテンツ特徴量を説明するための図である。また、図４は、本実施形態において、関連情報Ｒにおけるデータ構造を示す一例である。
【００４４】
本実施形態のデータベース１００には、ＷＷＷシステム用のリソースデータ（以下、「Ｗｅｂページデータ」ともいう。）によってコンテンツ情報Ｃが所定のデータ構造を有して記録されている。各コンテンツ情報Ｃは、広告、画像、テキストまたは複数の文の纏まりなどタイプや内容が異なる複数の構成要素をタグと呼ばれる識別子を用いつつ、ＨＴＭＬ（Ｈｙｐｅｒ  Ｔｅｘｔ  Ｍａｒｋｕｐ  Ｌａｎｇｕａｇｅ）またはＸＭＬ（ｅＸｔｅｎｓｉｂｌｅ  Ｍａｒｋｕｐ  Ｌａｎｇｕａｇｅ）などのマークアップ言語によって構成されている。
【００４５】
例えば、各コンテンツ情報Ｃは、店舗または場所を紹介するためのコンテンツ情報Ｃであり、図２に示すように、各コンテンツ情報Ｃの識別を行うためのコンテンツＩＤと、現実空間の座標を示す座標情報と、テキストとしてコンテンツ情報Ｃのタイトルを示すタイトル情報及びコンテンツ情報Ｃの内容を示す提供情報と、から構成される。
【００４６】
コンテンツＩＤは、固有のＵＲＬ（Ｕｎｉｆｏｒｍ  Ｒｅｓｏｕｒｃｅ  Ｌｏｃａｔｏｒ）と呼ばれるデータベース１００における格納場所を示すアドレス（以下、「ＵＲＬ」という。）また文字の固有の組み合わせなど他のコンテンツ情報Ｃと識別するための情報である。座標情報は、緯度及び経度から構成される現実空間に対応付けられた座標情報である。タイトル情報は、店舗の名称、カテゴリ、場所の名前または種別などのテキストの情報であり、提供情報は、店舗や場所の特徴または、当該店舗や場所における推奨されるべき情報である。そして、例えば、本実施形態では、図３（ａ）に示すように、第１コンテンツ情報Ｃ１が携帯用通信端末装置３００の画像表示領域ＤＡに表示される
【００４７】
また、各コンテンツ情報Ｃには、予め算出されたコンテンツの特徴量を示すコンテンツ特徴量が含まれる。コンテンツ特徴量は、タイトル情報及び提供情報に対して形態素解析を実行して品詞に分解しつつ不要な品詞を排除して抽出されたキーワード、所定のキーワード辞書に含まれたキーワードと完全一致したキーワード、または、コンテンツ情報Ｃを提供する提供者またはシステム管理者によって抽出されたキーワードに基づいて算出された文書ベクトルである。具体的には、文書ベクトルは、タイトル情報及び提供情報において抽出されたキーワードの出現頻度と各キーワードにおける一のコンテンツ情報Ｃ内に出現する出現頻度を示すＴＦ−ＩＤＦ（Ｔｅｒｍ  Ｆｒｅｑｕｅｎｃｙ  −  Ｉｎｖｅｒｓｅ  Ｄｏｃｕｍｅｎｔ  Ｆｒｅｑｕｅｎｃｙ）によって形成される。
【００４８】
例えば、図３（ｂ）に示すように、第１コンテンツ情報Ｃ１、すなわち、コンテンツＩＤ「ｉｎｆｏ００１」におけるコンテンツ特徴量は、タイトル情報「コーヒーの店」及び提供情報「豆にこだわった本格的なコーヒーが飲める店」から形態素解析を実行して抽出された各キーワード「コーヒー」、「豆」及び「店」に対して第１コンテンツ情報Ｃ内における出現頻度「ＴＦ」と全てのコンテンツ情報Ｃ（例えば、第１コンテンツ情報Ｃ１から第１０コンテンツ情報Ｃ１０）内における出現頻度「ＤＦ」に基づいて算出されたキーワード毎の「ＴＦ−ＩＤＦ（＝ＴＦ／ＤＦ）」の文書ベクトル（Ｔｊ）である。また、文書ベクトル（Ｔｊ）は、（式１）に示すようなベクトルである。
【００４９】
【数１】
0005664234.tif 000002
【００５０】
なお、（式１）において、「ｊ」は、コンテンツＩＤを示し、「Ｋｅｙ１」〜「Ｋｅｙｍ」は、形態素解析によって検出されたキーワードのテキストを示し、「ｔｊ１」」〜「ｔｊｍ」は、算出された各キーワードのＴＦ−ＩＤＦの値を示す。
【００５１】
一方、データベース１００には、所定の形式によって推薦情報の候補となるべき関連情報（以下、「関連候補情報」または「推薦候補情報」ともいう。）Ｒが所定のデータ構造を有して記憶されている。例えば、各関連情報Ｒは、図４に示すように、関連情報Ｒを識別するためのＩＤと、各関連情報Ｒのタイトル情報、テキストまたは画像などの提供情報と、から構成される。
【００５２】
ＩＤは、固有のＵＲＬ（Ｕｎｉｆｏｒｍ  Ｒｅｓｏｕｒｃｅ  Ｌｏｃａｔｏｒ）と呼ばれるデータベース１００における格納場所を示すアドレス（以下、「ＵＲＬ」という。）また文字の固有の組み合わせなど他のコンテンツ情報Ｃと識別するための情報である。タイトル情報は、関連情報Ｒにおける名称、カテゴリまたは種別などのテキストの情報であり、提供情報は、関連情報Ｒを説明するための情報である。
【００５３】
また、各関連情報Ｒには、予め算出された関連情報特徴量が含まれる。例えば、関連情報特徴量は、コンテンツ特徴量と同様に、タイトル情報及び提供情報に対して形態素解析を実行して品詞に分解しつつ不要な品詞を排除して抽出されたキーワード、所定のキーワード辞書に含まれたキーワードと完全一致したキーワード、または、コンテンツ情報Ｃを提供する提供者またはシステム管理者に抽出されたキーワードに基づいて算出された文書ベクトル「Ｓ」である。また、この関連情報Ｒの文書ベクトル「Ｓ」は、コンテンツ特徴量と同様に、タイトル情報及び提供情報において抽出されたキーワードの出現頻度と各キーワードにおける一の関連情報Ｒ内に出現する（式２）に示す出現頻度を示すＴＦ−ＩＤＦによって形成される。
【００５４】
【数２】
0005664234.tif 000003
【００５５】
なお、（式１）と同様に、（式２）において、Ｋｅｙ１〜Ｋｅｙｍは、キーワードのテキストを示し、「ｓｊ１」〜「ｓｊｍ」は、各関連情報Ｒにおける各キーワードのＴＦ−ＩＤＦの値である。
【００５６】
＜サーバ装置＞
次に、本実施形態のサーバ装置２００について説明する。
【００５７】
サーバ装置２００は、主にＣＰＵ、ＲＯＭ、ＲＡＭ及びハードディスクによって構成され、携帯用通信端末装置３００との間においてデータの授受を行うための通信機能、データベース１００の管理、並びに、各コンテンツ情報Ｃ及び関連情報Ｒの管理を行う。例えば、ＲＯＭには、各機能を実行するための制御情報が記録されるとともに、ハードディスクには、制御プログラムまたはＯＳ（Ｏｐｅｒａｔｉｎｇ  Ｓｙｓｔｅｍ）などの各種プログラムが記録されている。また、ＣＰＵは、ハードディスクに記録されたプログラムを実行することにより、上述の各種の機能を実現し、ＲＡＭは、ワークエリアとして用いられる。特に、サーバ装置２００は、通信機能としては、各携帯用通信端末装置３００からのコンテンツ情報Ｃまたは関連情報Ｒの送信要求を受信した際に、当該携帯用通信端末装置３００との通信回線を確立し、要求されたデータを携帯用通信端末装置３００に送信するようになっている。
【００５８】
＜携帯用通信端末装置＞
１．携帯用通信端末装置の構成
次に、図５を用いて本実施形態の各携帯用通信端末装置３００の構成について説明する。なお、図５は、本実施形態の各携帯用通信端末装置３００の構成を示すブロック図である。
【００５９】
各携帯用通信端末装置３００は、例えば、電子書籍用読取再生装置（電子ブックリーダ）、ゲーム機、ＰＤＡ（Ｐｅｒｓｏｎａｌ  Ｄｉｇｉｔａｌ  Ａｓｓｉｓｔａｎｔｓ）、携帯用電話機または携帯タブレット型通信端末装置などの携帯可能な通信端末装置である。そして、各携帯用通信端末装置３００は、画像表示領域ＤＡを有するとともに、リソースデータを読み込んで当該画像表示領域ＤＡにコンテンツ情報Ｃを表示するためのブラウザ機能を有している。
【００６０】
また、各携帯用通信端末装置３００は、各携帯用通信端末装置３００が有する種々のハードウェアと協働し、現在位置Ｐに基づいて取得したコンテンツ情報Ｃとともに、ユーザにとって必要と想定される推薦されるべき関連情報Ｒを推薦情報として提供する情報提供処理を実行するためのプログラム（以下、「情報提供プログラム」という。）を実行する。特に、情報提供プログラムによって実行される処理としては、
（１）携帯用通信端末装置３００の現在位置Ｐと当該携帯用通信端末装置３００が向けられた端末方向（方角ＡＧ及び仰角ＥＡ）の検出を制御する検出制御処理、
（２）検出された現在位置Ｐに基づいて、携帯用通信端末装置３００の周辺の位置に対応付けられたコンテンツ情報Ｃをデータベース１００から取得する取得処理、
（３）取得したコンテンツ情報Ｃを画像表示領域ＤＡに表示する表示制御処理
（４）検出された方角ＡＧ及び仰角ＥＡと、画像表示領域ＤＡに表示されたコンテンツ情報Ｃの当該画像表示領域ＤＡ上における座標と、に基づいて、当該画像表示領域ＤＡに表示されている各コンテンツ情報Ｃの重み係数を算出する重み付け算出処理、
（５）取得され各コンテンツ情報Ｃに含まれるコンテンツ特徴量を算出された重み係数で補正する補正処理、
（７）補正されたコンテンツ特徴量に基づいて一の検索式を生成し、生成した検索式に基づいて、予めデータベース１００から取得した各関連情報特徴量と、補正された補正コンテンツ特徴量と、の類似度を算出する類似度算出処理、及び、
（８）算出された各類似度に基づいて該当する関連情報Ｒを選定し、当該選定した関連情報Ｒを画像表示領域ＤＡに表示させてユーザに関連情報Ｒに関する情報を提供する提供処理が含まれる。
【００６１】
具体的には、各携帯用通信端末装置３００は、データベース１００、サーバ装置２００及び他の通信装置と通信を行う通信制御部３１０と、情報提供処理における各処理を行うデータ処理部３２０と、現在位置Ｐを検出する携帯用通信端末装置３００における現在位置Ｐを検出する現在位置検出部３３０と、当該携帯用通信端末装置３００が向けられている端末方向を検出する姿勢検出部３４０と、を有している。
【００６２】
また、各携帯用通信端末装置３００は、所定の画像表示領域ＤＡを有する表示部３６０と、表示部３６０における種々の描画を制御する描画制御部３５０と、ユーザの操作を入力するための操作部３７０と、全体を制御する端末管理制御部３８０と、情報提供プログラムが記録されるとともに端末管理制御部３８０が各部材を制御するための制御プログラム及び当該制御プログラムが実行される際に用いられるメモリ機能を有するＲＯＭ／ＲＡＭ３９０と、を有している。
【００６３】
そして、携帯用通信端末装置３００は、例えば、電話機能及び電子メールなどのメール機能を有する場合には、マイク、スピーカ及び電子メールの送受信機能など種々の必要な部材を有している。さらに、上記の各部は、バスＢによって互いに接続され、データの授受が実行される。
【００６４】
なお、例えば、データ処理部３２０は、本発明の取得手段、表示制御手段、重み係数算出手段、補正手段、類似度算出手段及び選定手段を構成する。また、例えば、本実施形態の現在位置検出部３３０は、本発明の現在位置検出手段を構成し、姿勢検出部３４０は、本発明の方向検出手段を構成する。
【００６５】
通信制御部３１０は、データ処理部３２０の制御の下、ネットワークＮに接続される基地局ＢＳを介してサーバ装置２００及びデータベース１００との通信回線を構築し、コンテンツ情報Ｃまたは関連情報Ｒの取得など種々のデータの授受を行う。
【００６６】
データ処理部３２０は、情報提供プログラムによって実行される情報提供処理を実現するようになっている。例えば、データ処理部３２０は、ＲＯＭ／ＲＡＭ３９０に記録された情報提供プログラムで携帯用通信端末装置３００の各部を制御するための各種制御プログラムを実行しつつ、通信制御部３１０及び描画制御部３５０と連動して、または、制御して上述の各種の処理を実行する。
【００６７】
具体的には、データ処理部３２０は、情報提供プログラムを起動することによって、図５に示すように、検出制御処理を実行する検出制御部３２１と、取得処理を実行する取得処理部３２２と、コンテンツ情報Ｃを画像表示領域ＤＡに表示する表示制御処理部３２３と、重み付け算出処理及び補正処理を実行する重み係数算出処理部３２４と、類似度算出処理を行う類似度算出処理部３２５と、提供処理を実行する提供処理部３２６と、を構築する。
【００６８】
なお、例えば、本実施形態の取得処理部３２２は、本発明の取得手段を構成し、表示制御処理部３２３は、本発明の表示制御手段を構成する。また、例えば、本実施形態の重み係数算出処理部３２４は、重み係数算出手段及び補正手段を構成し、類似度算出処理部３２５は、類似度算出手段を構成する。さらに、例えば、本実施形態の提供処理部３２６は、本発明の提供手段を構成する。
【００６９】
現在位置検出部３３０は、情報提供プログラムの起動時に、データ処理部３２０の制御の下、ネットワークＮを介してＧＰＳ（Ｇｌｏｂａｌ  Ｐｏｓｉｔｉｏｎｉｎｇ  Ｓｙｓｔｅｍ）衛星の位置を認識しつつ、当該ＧＰＳ衛星から送信された衛星信号（ＧＰＳ信号）を検出し、当該検出されたＧＰＳ信号に基づいて携帯用通信端末装置３００の現在位置Ｐの緯度及び経度によって示される座標値を算出（すなわち、検出）する。そして、この現在位置検出部３３０は、この算出された座標値を位置情報としてデータ処理部３２０に提供する。
【００７０】
なお、携帯用通信端末装置３００が、電話機能を有している場合には、電話に用いる電波を電話基地局において受信した方角ＡＧと電波強度に基づいて当該携帯用通信端末装置３００の現在位置Ｐを算出（検出）してもよい。
【００７１】
姿勢検出部３４０は、微弱な地磁気を検知する磁気センサと、重力の方向を検出する加速度センサとから形成されており、情報提供プログラムの起動時に、データ処理部３２０の制御の下、端末方向、すなわち、携帯用通信端末装置３００が向けられている方角ＡＧ（すなわち、東西南北）と当該方角ＡＧに対する仰角ＥＡ（水平面と当該携帯用通信端末装置３００が向けられた方向とによって形成される角度）を検出し、検出した方角ＡＧ及び仰角ＥＡを方角ＡＧ情報または仰角ＥＡ情報としてデータ処理部３２０に提供する。
【００７２】
表示部３６０は、所定のサイズ（例えば、Ｗ３２０×Ｈ４００ピクセル）の画像表示領域ＤＡを有し、例えば、液晶素子またはＥＬ（Ｅｌｅｃｔｒｏ  Ｌｕｍｉｎｅｓｃｅｎｃｅ）素子のパネルによって構成され、描画制御部３５０において生成された表示データに基づいて所定の画像を表示するようになっている。特に、本実施形態では、表示部３６０は、情報提供プログラムが実行されている際に、操作部３７０と連動しつつ、コンテンツ情報Ｃを表示するようになっている。
【００７３】
描画制御部３５０は、端末管理制御部３８０の制御の下またはデータ処理部３２０の制御の下、表示部３６０に所定の画像を描画させるために必要な描画データを生成するようになっており、生成された描画データを当該表示部３６０に出力するようになっている。
【００７４】
操作部３７０は、各種の確認ボタン、各操作指令を入力する操作ボタン、テンキーなどの多数のキー及び表示部３６０上に設けられたタッチセンサにより構成され、各操作を行う際に用いられるようになっている。具体的には、操作部３７０は、情報提供プログラムの起動時に上述の各種の処理を実行するための操作を行う際に用いられるようになっている。
【００７５】
端末管理制御部３８０は、主に中央演算処理装置（ＣＰＵ）によって構成されるとともに、キー入力ポート、表示制御ポート等の各種入出力ポートを含み、携帯用通信端末装置３００の全般的な機能及び情報提供プログラムを実行するための全般的な機能を総括的に制御するようになっている。
【００７６】
ＲＯＭ／ＲＡＭ３９０には、携帯用通信端末装置３００として機能するための各種の制御プログラムが記録されているとともに、コンテンツ情報Ｃまたは関連情報Ｒを閲覧するためのブラウザ機能を含む情報提供プログラムが記録されている。また、このＲＯＭ／ＲＡＭ３９０は、各種の処理が実行される際のワークエリアとして用いられる。
【００７７】
２．データ処理部の詳細
次に、図６〜図１３の各図を用いて本実施形態のデータ処理部３２０における各部の構成及びその動作の詳細について説明する。
【００７８】
なお、図６は、現在位置Ｐに基づくコンテンツ情報Ｃの検出について説明するための図であり、図７は、携帯用通信端末装置３００における端末方向の方角ＡＧと取得したコンテンツ情報Ｃとの関係を説明する図と、当該方角ＡＧに基づいて画像表示領域ＤＡに表示されるコンテンツ情報Ｃについて説明するための図である。
【００７９】
また、図８は、端末方向の方角ＡＧが変化した場合の取得したコンテンツ情報Ｃとの関係を説明する図（その１）と、当該方角ＡＧに基づいて画像表示領域ＤＡに表示されるコンテンツ情報Ｃについて説明するための図であり、図９は、端末方向の方角ＡＧが変化した場合の取得したコンテンツ情報Ｃとの関係を説明する図（その２）と、当該方角ＡＧに基づいて画像表示領域ＤＡに表示されるコンテンツ情報Ｃについて説明するための図である。
【００８０】
さらに、図１０は、端末方向の仰角ＥＡが変化した場合の取得したコンテンツ情報Ｃとの関係を説明する図（その１）と、当該方角ＡＧに基づいて画像表示領域ＤＡに表示されるコンテンツ情報Ｃについて説明するための図であり、図１１は、端末方向の仰角ＥＡが変化した場合の取得したコンテンツ情報Ｃとの関係を説明する図（その１）と、当該方角ＡＧに基づいて画像表示領域ＤＡに表示されるコンテンツ情報Ｃについて説明するための図である。
【００８１】
またさらに、図１２は、画像表示領域ＤＡに表示されているコンテンツ情報Ｃが拡大された際の画像表示領域ＤＡと表示されるコンテンツ情報Ｃとの関係を説明するための図であり、図１３は、画像表示領域ＤＡに表示された推薦情報を説明するための図である。
【００８２】
検出制御部３２１は、加速度センサとタイマーを有し、情報提供プログラムの起動中に、現在位置検出部３３０、姿勢検出部３４０と連動して、現在位置Ｐ、方角ＡＧ及び仰角ＥＡにおける検出させる。具体的には、検出制御部３２１は、加速度センサとタイマーによって携帯用通信端末装置３００が所定の時間（例えば、３秒）静止したか否かを検出し、当該所定の時間において静止したことを検出した場合に、現在位置Ｐ、方角ＡＧ及び仰角ＥＡを検出させてＲＯＭ／ＲＡＭ３９０に記憶する。
【００８３】
取得処理部３２２は、通信制御部３１０と連動しつつ、サーバ装置２００の制御の下、検出された現在位置Ｐに基づいてデータベース１００から所定のコンテンツ情報Ｃを取得する。例えば、取得処理部３２２は、図６（ａ）に示すように現在位置Ｐ（例えば、緯度＝３５．６２８３６７度、経度＝１３９．７１８６９２度）が検出されると、図６（ｂ）に示すように撮像方向に無関係に検出された現在位置Ｐを中心に所定の半径領域ｒ（例えば、半径ｒ＝１ｋｍ）の位置情報を有する「９」のコンテンツ情報Ｃをデータベース１００から検出し、該当するコンテンツ情報Ｃを取得する。
【００８４】
また、取得処理部３２２は、情報提供プログラムの実行開始時に、データベース１００から関連情報Ｒを関連情報特徴量とともに取得し、ＲＯＭ／ＲＡＭ３９０に記憶する。
【００８５】
表示制御処理部３２３は、描画制御部３５０及び検出制御部３２１と連動しつつ、現在位置Ｐに基づいて取得したコンテンツ情報Ｃの中から、検出した方角ＡＧ及び仰角ＥＡによって携帯用通信端末装置３００を向けた端末方向の位置に対応付けられたコンテンツ情報Ｃを表示部３６０の画像表示領域ＤＡに表示する。
【００８６】
具体的には、表示制御処理部３２３は、現実空間の携帯用通信端末装置３００の現在位置Ｐとコンテンツ情報Ｃの位置と携帯用通信端末装置の方角認識範囲（すなわち、視野角（例えば−１５度から＋１５度））及び距離認識範囲（例えば、０ｍ〜５００ｍ）とに基づいて、立体的な地図（すなわち、鳥瞰図）など奥行き感のある３次元仮想空間内に各コンテンツ情報Ｃに含まれるタイトルが存在するように、画像表示領域ＤＡに表示する。また、このとき、表示制御処理部３２３は、携帯用通信端末装置３００とコンテンツ情報Ｃとの現実空間における距離差の視認を容易にするために、スケールを表示させる。
【００８７】
例えば、表示制御処理部３２３は、図６（ｂ）に示すように、それぞれ現実空間における位置に対応付けられた「９」のコンテンツ情報Ｃを取得している場合であって、方角ＡＧが「０度（北＝０度）」、かつ、仰角ＥＡが「０度（水平＝０度）」の場合には、図７に示すように、第１コンテンツ情報Ｃ１から第４コンテンツ情報Ｃ４の「４」のコンテンツ情報Ｃに含まれるタイトル情報及び提供情報を画像表示領域ＤＡに表示する。
【００８８】
なお、ここで、水平とは、画像表示領域ＤＡが形成されている携帯用通信端末装置３００の面が地面に対して垂直になっていることをいう。また、表示制御処理部３２３は、方角ＡＧ及び仰角ＥＡとともに、予め設定された画像表示領域ＤＡのサイズ、予め定められた認識距離２１及び検出された方角ＡＧを基準に形成される認識可能な角度（認識角度）２２に基づいて形成される視認範囲２０内におけるコンテンツ情報Ｃを選定してそのタイトル情報及び提供情報を画像表示領域ＤＡに３次元仮想画像とともに表示する。特に、図７（ｂ）においては、各コンテンツ情報Ｃは、コンテンツＩＤによって表示されているが、実際はタイトル情報及び提供情報によって表示される。そして、携帯用通信端末装置３００の現実空間からの距離によって表示されるコンテンツ情報の大きさも変化させて表示される。
【００８９】
また、表示制御処理部３２３は、ユーザによって携帯用通信端末装置３００を向ける端末方向が変化した場合に、当該変化に対応させて、順次、検出した方角ＡＧによって携帯用通信端末装置３００を向けた端末方向の位置に対応付けられたコンテンツ情報Ｃを表示部３６０の画像表示領域ＤＡに表示する。
【００９０】
例えば、表示制御処理部３２３は、図８に示すように、図７の状態からユーザによって携帯用通信端末装置３００における端末方向の方角ＡＧのみを時計回りに「３０度」回転させられた場合には、視認範囲２０に属する第４コンテンツ情報Ｃ４及び第５コンテンツ情報Ｃ５のタイトル情報及び提供情報を画像表示領域ＤＡに表示する。そして、表示制御処理部３２３は、図９に示すように、図７の状態からユーザによって携帯用通信端末装置３００における端末方向の方角ＡＧのみを時計と反対回りに「３０度」回転させられた場合には、視認範囲２０に属する第１コンテンツ情報Ｃ１及び第３コンテンツ情報Ｃ３のタイトル情報及び提供情報のみを画像表示領域ＤＡに表示する。
【００９１】
一方、表示制御処理部３２３は、ユーザによって携帯用通信端末装置３００の端末方向が上方または下方に向けられて仰角ＡＥを検出した場合には、当該携帯用通信端末装置３００の現実空間の位置の周辺または遠方にあるコンテンツ情報のみを画像表示領域ＤＡに表示するように構成されている。すなわち、表示制御処理部３２３は、仰角ＥＡが水平より上方に向けて大きくなるほど、現実空間において携帯用通信端末装置３００から遠方に存在するコンテンツ情報Ｃに焦点が合うように画像表示領域ＤＡに各コンテンツ情報を表示し、仰角ＥＡが水平より下方に向けて大きくなるほど、現実空間において携帯用通信端末装置３００周辺に存在するコンテンツ情報Ｃに焦点が合うように画像表示領域ＤＡに各コンテンツ情報を表示する。
【００９２】
具体的には、表示制御処理部３２３は、端末方向の仰角ＥＡを、水平面を基準に上方（プラス）に傾けた場合には、携帯用通信端末装置３００の現在位置より現実空間において遠くの位置に存在するコンテンツ情報Ｃのみ画像表示領域ＤＡに表示されるようにコンテンツ情報Ｃの表示制御を行う。また、表示制御処理部３２３は、端末方向の仰角ＥＡを、水平面を基準に下方（マイナス）に傾けた場合には、携帯用通信端末装置３００の現在位置より現実空間において近くに位置に存在するコンテンツ情報Ｃのみを画像表示領域ＤＡに表示されるようにコンテンツ情報Ｃの表示制御を行う。特に、本実施形態の表示制御処理部３２３は、（式３）及び（式４）を実行し、画像表示領域ＤＡに表示するための距離認識範囲を設定し、当該設定された距離認識範囲内に存在するコンテンツ情報を画像表示領域ＤＡに表示する。
【００９３】
【数３】
0005664234.tif 000004
【００９４】
【数４】
0005664234.tif 000005
【００９５】
なお、（式３）及び（式４）において、「Ｘ」は画像表示領域ＤＡにおけるスケール調整用の定数であり、例えば、「１０ｍ」である。また、距離認識範囲の最小値または最大値が「０」以下になった場合は、距離認識範囲は、「０」とみなす。
【００９６】
例えば、表示制御処理部３２３は、仰角ＥＡが０度の場合であって距離認識範囲が０ｍ〜５００ｍの場合であって、ユーザによって携帯用通信端末装置３００における端末方向を上方に「３０度」傾けた場合には、距離認識範囲を、３００ｍ〜８００ｍと設定し、図１０に示すように、現実空間において携帯用通信端末装置３００から距離認識範囲３００ｍ〜８００ｍに存在する第３コンテンツ情報Ｃ３及び第４コンテンツ情報Ｃ４のタイトル情報及び提供情報を拡大させつつ画像表示領域ＤＡに表示する。
【００９７】
また、例えば、表示制御処理部３２３は、仰角ＥＡが０度の場合であって距離認識範囲が０ｍ〜５００ｍの場合であって、ユーザによって携帯用通信端末装置３００における端末方向を下方に「３０度」傾けた場合には、距離認識範囲を０ｍ〜３００ｍと設定し、図１１に示すように、現実空間において携帯用通信端末装置３００から距離認識範囲０ｍ〜３００ｍに存在する第１コンテンツ情報Ｃ１及び第２コンテンツ情報Ｃ２のタイトル情報及び提供情報を拡大させつつ画像表示領域ＤＡに表示する。
【００９８】
他方、表示制御処理部３２３は、描画制御部３５０と連動しつつ、操作部３７０の指示に基づいて、画像表示領域ＤＡに表示されている３次元仮想空間に対するコンテンツ情報Ｃの拡大率を変化させるための表示制御を行う。
【００９９】
例えば、表示制御処理部３２３は、図１２（ａ）に示すように、操作部３７０によって第３コンテンツ情報Ｃ３の周辺の領域（指示領域）に対して拡大表示を行うための指示（２倍に拡大する指示）が入力された場合には、図１２（ｂ）に示すように、３次元仮想空間領域のサイズを変更させつつ（例えば、Ｗ４００×Ｈ３２０ピクセルからＷ２００×Ｈ１６０ピクセルに）、第３コンテンツ情報Ｃ３を表示するための領域、すなわち、タイトル情報及び提供情報を表示する領域も拡大させるための表示制御を行う。ただし、この場合には、表示制御処理部３２３は、方角認識範囲及び距離認識範囲の各情報については変更せずに、表示される３次元仮想空間領域のサイズのみ変更する。
【０１００】
重み係数算出処理部３２４は、データベース１００から取得したコンテンツ情報Ｃ毎に、ユーザの注目度を数値化するための重み係数を算出する。一般的に、現実空間の位置に対応付けて表示されるコンテンツ情報Ｃにおいては、ユーザが注目するコンテンツ情報Ｃに対して画像表示領域ＤＡに表示される。特に、画像表示領域ＤＡに大きくかつ当該画像表示領域ＤＡの中心付近に表示されているほどユーザにおける注目度が高いといえる。そこで、本実施形態の重み係数算出処理部３２４は、画像表示領域ＤＡの中心に表示されているコンテンツ情報Ｃ、及び、当該画像表示領域ＤＡにおいて大きく表示されているコンテンツ情報Ｃに対して、ユーザの注目度を高いと判断し、これらのコンテンツ情報Ｃにおけるコンテンツ特徴量の数値を大きくする重み付け係数を算出する。なお、本実施形態の重み係数算出処理３２４は、画像表示領域ＤＡに表示されているコンテンツ情報Ｃのみならず、現在位置に基づいて取得した全てのコンテンツ情報Ｃについて重み係数算出処理を実行する。
【０１０１】
第１に、重み係数算出処理部３２４は、検出された端末方向の方角ＡＧ及び現在位置Ｐに基づいて、前記取得されたコンテンツ情報Ｃの現実空間内における位置と当該携帯用通信端末装置３００の現在位置Ｐとの角度差を算出し、当該算出された角度差に基づいて、当該コンテンツ情報Ｃにおける重み係数を算出する。
【０１０２】
具体的には、重み係数算出処理部３２４は、（式５）の演算を実行し、算出された角度差が小さいほど、重み付け係数が大きくなるように、該当するコンテンツ情報Ｃにおける重み係数ＷＡを算出する。ただし、（式５）において、分母の変数（ＡＧ−Ｂ）が「１」未満になる場合には、重み係数算出処理部３２４は、（式６）を実行し、重み係数ＷＡを算出する。これは、分母の変数が「０」に近づくと、急激に値が変化するとともに、「０」になると、発散し、演算結果にエラーが生じるためである。
【０１０３】
【数５】
0005664234.tif 000006
【０１０４】
【数６】
0005664234.tif 000007
【０１０５】
なお、（式５）において、「ＡＧ」は、携帯用通信端末装置３００の端末方向の方角ＡＧ（北＝０度）を示し、「Ｂ」とは、現実空間における携帯用通信端末装置３００の現在位置Ｐ及び端末方向の方角ＡＧとコンテンツ情報Ｃの現実空間における位置とに基づいて算出された携帯用通信端末装置３００に対するコンテンツ情報Ｃの絶対的な方角である。また、「α」は、予め定められた定数である。
【０１０６】
第２に、重み係数算出処理部３２４は、検出された現在位置Ｐに基づいて、取得されたコンテンツ情報Ｃの現実空間内における位置と当該携帯用通信端末装置３００の現在位置Ｐとの距離差を算出し、検出された仰角ＥＡの大きさに基づいて、当該算出された距離差を基準とする重み付け係数を算出する。
【０１０７】
具体的には、重み係数算出処理部３２４は、仰角ＥＡの値によって（式７）または（式８）の演算を実行し、当該携帯用通信端末装置３００が水平面（θ＝０度）より上方に傾いている場合には、当該携帯用通信端末装置３００から現実空間内において遠くの位置に対応付けられているコンテンツ情報Ｃの重み係数を、現実空間内において近くの位置に対応付けられているコンテンツ情報Ｃの重み係数より大きくし、当該携帯用通信端末装置３００が水平面より下方に傾いている場合には、当該携帯用通信端末装置３００から現実空間内において近くの位置に対応付けられているコンテンツ情報Ｃの重み係数を、現実空間内において遠くの位置に対応付けられているコンテンツ情報Ｃの重み係数より大きくなるように、重み係数ＷＢを算出する。ただし、（式８）において、分母の変数「Ｌ」が「１」未満になる場合には、重み係数算出処理部３２４は、（式９）を実行し、重み係数ＷＢを算出する。これは、分母の変数「Ｌ」が「０」に近づくと、急激に値が変化するとともに、「０」になると、発散し、演算結果にエラーが生じるためである。
【０１０８】
【数７】
0005664234.tif 000008
【０１０９】
【数８】
0005664234.tif 000009
【０１１０】
【数９】
0005664234.tif 000010
【０１１１】
なお、（式７）及び（式８）において、「Ｌ」は、現実空間における携帯用通信端末装置３００とコンテンツ情報Ｃが対応付けられた位置とのユーグリッド距離を示す。ここで、ユーグリッド距離とは、現実空間の位置に基づいて二点間における三平方の定理で算出される距離である。また、「β」は、予め定められた定数である。
【０１１２】
第３に、重み係数算出処理部３２４は、画像表示領域ＤＡに表示された３次元仮想空間におけるコンテンツ情報Ｃの位置（表示されたタイトル情報及び提供情報の中心座標）に基づいて、重み付け係数を算出する。
【０１１３】
具体的には、重み係数算出処理部３２４は、（式１０）の演算を実行し、画像表示領域ＤＡの中心に近い位置に表示されているほど、コンテンツ情報Ｃの重み係数を大きくなるように、重み係数ＷＣを算出する。ただし、（式１０）において、分母の変数（Ｙｉ−ＹＣ）が「１」未満になる場合には、重み係数算出処理部３２４は、（式１１）を実行し、重み係数ＷＣを算出する。これは、分母の変数が「０」に近づくと、急激に値が変化するとともに、「０」になると、発散し、演算のエラーが生じるためである。
【０１１４】
【数１０】
0005664234.tif 000011
【０１１５】
【数１１】
0005664234.tif 000012
【０１１６】
なお、（式１０）においては座標値としてはＹ座標を用いるとともに、「Ｙｉ」はコンテンツ情報Ｃのタイトル情報及び提供情報における画像表示領域ＤＡ内のＹ座標を示し、「ＹＣ」は、画像表示領域ＤＡの中心のＹ座標を示す。また、「Ｐ」は、拡大率（％）を示し、予め定められた標準時（例えば、図７〜図９）の拡大率を「１００％」としたときの拡大率または縮小率である。さらに、「γ」は、予め定められた定数である。ただし、重み係数算出部３２４は、画像表示領域ＤＡに表示されたコンテンツ情報に対してのみ重み係数ＷＣを算出する。
【０１１７】
補正処理部は、重み係数算出処理部３２４において算出された各コンテンツ情報Ｃの重み係数ＷＡ、ＷＢ及びＷＣをコンテンツ情報Ｃ毎に合算するとともに、当該コンテンツ情報Ｃのコンテンツ特徴量、すなわち、当該コンテンツ情報ＣのＴＦ−ＩＤＦの値（Ｄ）に、該当する合算した重み係数をそれぞれ乗算する。
【０１１８】
類似度算出処理部３２５は、各コンテンツ情報Ｃにおける補正されたコンテンツ特徴量をベクトル加算して単一の検索式「Ｑ」を生成する。そして、類似度算出処理部３２５は、予めデータベース１００から取得した各関連情報Ｒにおける関連情報特徴量（すなわち、（式２）に示された文書ベクトルＳ）に対して、生成したベクトル検索式「Ｑ」と取得した関連文書の文書ベクトル（Ｓｊ）を比較してベクトル空間モデルを用いて検索式と各関連情報Ｒとの類似度（ｓｉｍ）を（式１２）を用いて算出するようになっている。
【０１１９】
【数１２】
0005664234.tif 000013
【０１２０】
なお、文書ベクトル「Ｓ」は、（式２）を参照するとともに、検索式「Ｑ」は、（式１３）に示す。また、（式１３）において、（式１）及び（式２）と同様に、Ｋｅｙ１〜Ｋｅｙｍは、キーワードのテキストを示し、「ｑ１」〜「ｑｍ」は、全てのコンテンツ情報Ｃにおける補正された各キーワードのＴＦ−ＩＤＦの値を示す。
【０１２１】
【数１３】
0005664234.tif 000014
【０１２２】
提供処理部３２６は、描画制御部３５０と連動し、算出された各類似度に基づいて該当する関連情報Ｒを選定し、当該選定した関連情報Ｒ（推薦情報）を、タイトル情報及び提供情報とともに画像表示領域ＤＡに表示する。例えば、提供処理部３２６は、図１３に示すように、選定された一の推薦情報のタイトル「ｉｔｅｍ００１」と提供情報を画像表示領域ＤＡの下部に表示する。
【０１２３】
＜情報提供処理＞
次に、図１４を用いて本実施形態の携帯用通信端末装置３００における情報提供処理の動作について説明する。なお、図１４は、本実施形態の携帯用通信端末装置３００における情報提供処理の動作を示すフローチャートである。
【０１２４】
なお、本動作においては、データベース１００には、複数のコンテンツ情報Ｃ及び関連情報Ｒが記憶されているとともに、各コンテンツ情報Ｃ及び各関連情報Ｒにおいても既に文書ベクトルが生成されて記憶されているものとする。また、サーバ装置２００は、携帯用通信端末装置３００の指示に基づいてデータベース１００を制御しつつ、当該携帯用通信端末装置３００にコンテンツ情報Ｃ及び各関連情報Ｒを適宜送信する。
【０１２５】
まず、端末管理制御部３８０が、操作部３７０に入力された情報提供処理の開始指示を検出すると（ステップＳ１０１）、情報提供処理プログラムを起動させて所定の初期設定を行う（ステップＳ１０２）。このとき、取得処理部３２２は、データベース１００から関連情報Ｒ及び当該関連情報Ｒの関連情報特徴量を取得してＲＯＭ／ＲＡＭ３９０に記憶する。
【０１２６】
次いで、検出制御部３２１は、携帯用通信端末装置３００が一定のポジションで静止され、当該静止されたときから所定の時間経過したか否か（すなわち、検出タイミングか否か）を判断し（ステップＳ１０３）、所定の時間経過していると判断した場合には、現在位置検出部３３０及び姿勢検出部３４０に、携帯用通信端末装置３００の現実空間における現在位置Ｐ及び方角ＡＧと仰角ＥＡを含む端末方向を検出させる（ステップＳ１０４）。なお、このとき、検出制御部３２１は、タイマーのカウント開始から所定の時間経過したと判断した場合には、タイマーのカウントをリセットして再カウントを開始する。
【０１２７】
次いで、取得処理部３２２は、通信制御部３１０を介して、検出された現在位置Ｐに基づいてデータベース１００から当該現在位置Ｐ周辺のコンテンツ情報Ｃ及びそのコンテンツ特徴量を取得する（ステップＳ１０５）。ただし、既に、取得処理部３２２は、ＲＯＭ／ＲＡＭ３９０に記憶されているコンテンツ情報Ｃについてはデータベース１００から取得せず、不要のコンテンツ情報Ｃについては削除する各処理を行う。
【０１２８】
次いで、表示制御処理部３２３は、操作部３７０によって画像表示領域ＤＡにおけるコンテンツ情報Ｃを表示するための拡大率が指示されているかを判断する（ステップＳ１０６）。
【０１２９】
このとき、表示制御処理部３２３は、操作部３７０によって拡大率が指示されている場合には、その拡大率及び検出された携帯用通信端末装置３００の現在位置Ｐと、検出されたその方角ＡＧ及び仰角ＥＡと、に基づいて画像表示領域ＤＡに表示された３次元仮想空間内に取得したコンテンツ情報Ｃのタイトル情報及び提供情報を表示する（ステップＳ１０７）。
【０１３０】
一方、表示制御処理部３２３は、操作部３７０によって拡大率が指示されていない場合には、検出された携帯用通信端末装置３００の現在位置Ｐと、検出されたその方角ＡＧ及び仰角ＥＡと、に基づいて画像表示領域ＤＡに表示された３次元仮想空間内に取得したコンテンツ情報Ｃのタイトル情報及び提供情報を表示する（ステップＳ１０８）。
【０１３１】
次いで、重み係数算出処理部３２４は、取得したコンテンツ情報Ｃ、具体的には、ＲＯＭ／ＲＡＭ３９０に記憶されている各コンテンツ情報Ｃの各情報における重み係数ＷＡ、ＷＢ及びＷＣを算出する（ステップＳ１０９）。
【０１３２】
次いで、補正処理部は、取得したコンテンツ情報Ｃにおけるコンテンツ特徴量に算出された重み係数を各コンテンツ特徴量に乗算して、当該コンテンツ特徴量を補正する（ステップＳ１１０）。
【０１３３】
次いで、類似度算出処理部３２５は、補正された各コンテンツ情報Ｃのコンテンツ特徴量に基づいて各キーワードにおける補正されたコンテンツ特徴量を合算して単一の検索式（文書ベクトル）を生成する（ステップＳ１１１）。
【０１３４】
次いで、類似度算出処理部３２５は、ステップＳ１０２の処理において記憶された関連情報特徴量（文書ベクトル）と、生成された検索式を比較して検索式と各コンテンツ情報Ｃと各関連情報Ｒとの類似度を算出する（ステップＳ１１２）。
【０１３５】
次いで、提供処理部３２６は、算出された各類似度の最大値を有する関連情報Ｒを、推薦情報として選定し、当該推薦情報のタイトル情報及び提供情報を画像表示領域ＤＡに表示させ、ユーザに閲覧可能に提供する（ステップＳ１１１）。
【０１３６】
最後に、端末管理制御部３８０は、操作部３７０から入力された終了指示の検出の有無を判断し（ステップＳ１１２）、当該終了指示を検出していない場合には、ステップＳ１０３の処理に移行し、本動作を繰り返す。一方、端末管理制御部３８０は、操作部３７０から入力された終了指示の検出した場合には、本動作を終了する。
【０１３７】
＜作用効果＞
本実施形態の携帯用通信端末装置３００は、当該携帯用通信端末装置３００の向けた端末方向及び画像表示領域ＤＡに表示されたコンテンツ情報Ｃの表示位置に基づいて、ユーザが注目しているコンテンツ情報Ｃについてのコンテンツ特徴量に対する重み付けが大きくなるように、当該コンテンツ特徴量を補正することができる。したがって、携帯用通信端末装置３００は、コンテンツ情報と関連情報との類似度を算出する場合に、ユーザの注目度を参酌することができるので、商品またはサービスの広告などのユーザによって興味がある情報を的確に提供すること、及び、それにより提供された情報の閲覧数を向上させて効果的な情報提供を実現させることができる。
【０１３８】
また、本実施形態の携帯用通信端末装置３００は、例えば、取得されたコンテンツ情報Ｃの現実空間内における位置と当該携帯用通信端末装置３００の現在位置Ｐとの角度差が小さいほど、重み付け係数が大きくすることができるので、画像表示領域ＤＡの中心に表示されたコンテンツ情報Ｃをユーザがより注目しているコンテンツ情報Ｃとして取り扱うことができる。すなわち、ユーザが注目しているコンテンツ情報Ｃは、画像表示領域ＤＡの中心に表示させることが多いので、携帯用通信端末装置３００は、この特性を利用してユーザが注目しているコンテンツ情報Ｃを的確に抽出することができる。
【０１３９】
また、本実施形態の携帯用通信端末装置３００は、携帯用通信端末装置３００の仰角ＥＡを操作することによって、当該携帯用通信端末装置３００の現実空間における現在位置Ｐより遠くの位置に対応付けられたコンテンツ情報Ｃについてユーザが注目した場合に、または、当該現在位置Ｐ周辺の位置に対応付けられたコンテンツ情報Ｃについてユーザが注目した場合に、当該注目したコンテンツ情報Ｃの重み付け係数を調整することができる。したがって、携帯用通信端末装置３００は、当該携帯用通信端末装置３００の現在位置Ｐからの距離とは無関係に、ユーザによって注目されたコンテンツ情報Ｃを的確に抽出することができる。
【０１４０】
また、本実施形態の携帯用通信端末装置３００は、当該携帯用通信端末装置３００の現実空間における現在位置Ｐより遠くの位置に対応付けられたコンテンツ情報Ｃについてユーザが注目した場合に、または、当該現在位置Ｐ周辺の位置に対応付けられたコンテンツ情報Ｃについてユーザが注目した場合に注目されたコンテンツ情報Ｃにおける重み付け係数を調整することができる。
【０１４１】
また、本実施形態の携帯用通信端末装置３００は、様々な要素からユーザが注目しているコンテンツ情報Ｃを想定して各コンテンツ情報Ｃの重み係数を算出し、当該算出された各重み係数を合算してコンテンツ特徴量を補正することができるので、画像表示領域ＤＡの中心に表示されたコンテンツ情報Ｃをユーザがより注目しているコンテンツ情報Ｃとして抽出することができる。
【０１４２】
また、本実施形態の携帯用通信端末装置３００は、キーワードの出現頻度に基づいて各コンテンツ特徴量及び関連情報特徴量を算出することができるので、的確にコンテンツ特徴量及び関連情報特徴量を規定することができる。したがって、携帯用通信端末装置３００は、的確にコンテンツ情報Ｃに類似する関連情報Ｒを抽出することができる。
【０１４３】
＜変形例＞
本実施形態の携帯用通信端末装置３００は、画像表示領域ＤＡに地図その他の現実空間を模した３次元仮想空間を表示しつつ、コンテンツ情報Ｃを重畳表示するようになっているが、撮像カメラ部を有し、当該撮像カメラ部によって撮像された現実空間にコンテンツ情報Ｃを表示させてもよい。この場合においては、上述と同様に、検出制御部に設けられたタイマーによってカウントを行うことによって、所定のタイミング毎に現在位置、方角ＡＧ及び仰角ＥＡを算出してもよいし、撮像された現実空間のフレーム毎に、現在位置、方角ＡＧ及び仰角ＥＡを算出してもよい。
【０１４４】
また、本実施形態においては、コンテンツ情報Ｃ及び関連情報Ｒをサーバ装置２００の制御の下にデータベース１００から取得するようになっているが、携帯用通信端末装置３００に装着されたフラッシュメモリ、ＤＶＤまたはハードディスクなどの外部記憶媒体、または、内部に設けられたハードディスクまたは上述のＲＯＭ／ＲＡＭ３９０などの内部記憶媒体から読み出して取得してもよい。そして、これらの場合には、外部記憶媒体または内部記憶媒体は、例えば、本発明の記憶手段を構成する。
【０１４５】
また、本実施形態においては、関連情報Ｒ及び特定構成要素に含まれる各キーワードの特徴量に、各キーワードの出現頻度を示すＴＦ−ＩＤＦを用いているが、単にキーワードの出現頻度の回数をカウントし当該カウント数を特徴量に用いるなど、関連情報Ｒ及び特定構成要素内における各キーワードの特徴量を算出することができるものであればよい。
【０１４６】
また、本実施形態においては、該当する関連情報Ｒを画像表示領域ＤＡに表示することによって関連情報Ｒを提供するようになっているが、当該表示に代えて類似度の高い上位３位までの関連情報Ｒを画像表示領域ＤＡに表示してもよいし、当該類似度の高い関連情報Ｒを選択表示可能なリストを表示するようにしてもよい。さらに、関連情報Ｒの画像表示領域への表示に代えて、関連情報Ｒを、予め特定された電子メールアドレスにデータとして送信し、または、画像表示領域ＤＡに予め定められた関連情報Ｒを提供するＵＲＬを表示することによって、関連情報Ｒまたは関連情報Ｒに関する情報を間接的に提供するようにしてもよい。
【０１４７】
また、本実施形態では、携帯用通信端末装置３００において、検出制御処理、表示制御処理、重み係数算出処理、補正処理、類似度算出処理及び提供処理が実行されているが、携帯用通信端末装置３００またはサーバ装置２００の何れかによって各種の処理が行われてもよい。この場合には、サーバ装置２００と携帯用通信端末装置３００との逐次的な通信によって必要なデータ授受することができるようになっている。
【０１４８】
すなわち、携帯用通信端末装置３００は、現在位置Ｐ、方角ＡＧ及び仰角ＥＡのみを検出し、種々の演算及び処理をサーバ装置２００において実行し、受信した３次元仮想空間上にコンテンツ情報Ｃを表示しつつ、特定された推薦情報のみを表示するだけでもよいし、これらの処理に加えて、表示制御処理に係る処理、重み係数算出処理など、適宜必要な処理を実行してもよい。
【０１４９】
また、このように各種のデータ処理をサーバ装置２００によって行うことができれば、上述の実施形態と同様な処理を行うことができるとともに、携帯用通信端末装置３００の処理負担を軽減することができる。
【産業上の利用可能性】
【０１５０】
本発明のネットワークシステム１０は、インターネットなどのネットワークＮを用いて新聞、雑誌、書籍または論文などの情報を閲覧するシステムに適用することができる。
【符号の説明】
【０１５１】
Ｂ  …  バス
Ｃ  …  コンテンツ情報
Ｒ  …  関連情報
ＡＧ  …  方角
ＥＡ  …  仰角
ＤＡ  …  画像表示領域
ＷＡ、ＷＢ、ＷＣ  …  重み係数
１０  …  ネットワークシステム
１００  …  データベース
２００  …  サーバ装置
３００  …  携帯用通信端末装置
３１０  …  通信制御部
３２０  …  データ処理部
３２１  …  検出制御部
３２２  …  取得処理部
３２３  …  表示制御処理部
３２４  …  重み係数算出処理部
３２５  …  類似度算出処理部
３２６  …  提供処理部
３３０  …  現在位置検出部
３４０  …  姿勢検出部
３５０  …  描画制御部
３６０  …  表示部
３７０  …  操作部
３８０  …  端末管理制御部
３９０  …  ＲＯＭ／ＲＡＭ
【図１】
0005664234.tif 000015
【図２】
0005664234.tif 000016
【図３】
0005664234.tif 000017
【図４】
0005664234.tif 000018
【図５】
0005664234.tif 000019
【図６】
0005664234.tif 000020
【図７】
0005664234.tif 000021
【図８】
0005664234.tif 000022
【図９】
0005664234.tif 000023
【図１０】
0005664234.tif 000024
【図１１】
0005664234.tif 000025
【図１２】
0005664234.tif 000026
【図１３】
0005664234.tif 000027
【図１４】
0005664234.tif 000028